(57)【要約】      （修正有）【課題】コンパクトで外観が美麗であり、組立てるときの係止ロック作業と折畳むときのアンロック作業を、共に容易に行うことができる折畳み自在コンテナを提供する。【解決手段】折畳み状態では、底壁１の上面に転倒された一対の第１側壁２が重ねられ、その上に転倒された一対の第２側壁３が重ねられるように構成され、組立て状態では、起立させた第２側壁の側縁部に対して、起立させた第１側壁の側縁部が接合されると共に、ロック手段により連結固定されるように構成して成る折畳み自在コンテナにおいて、第２側壁は、側縁部を内向きに断面Ｌ形に延設することにより、底壁の第１側縁４に向けて対向する折曲壁部１８を備え、折曲壁部は、第２側壁を転倒した折畳み状態で、底壁の第１側縁と第１側壁の枢結部６を上方から被うカバー手段を構成し、起立された組立て状態では、第１側壁の側縁部１９を受止め保持する保持手段を構成する。【選択図】図２
0003216990.tif 000002
【実用新案登録請求の範囲】
【請求項１】
それぞれ相対向して起立する第１側縁(4)と第２側縁(5)を備えた矩形皿状の底壁(1)と、前記第１側縁に起倒自在に枢結された一対の第１側壁(2)と、前記第２側縁に起倒自在に枢結された一対の第２側壁(3)を備えており、
折畳み状態では、底壁の上面に向けて相互に向かい合って転倒された一対の第１側壁が重ねられ、該第１側壁の上に向けて相互に向かい合って転倒された一対の第２側壁が重ねられるように構成され、
組立て状態では、起立させた第２側壁の側縁部に対して、起立させた第１側壁の側縁部が接合されると共に、ロック手段(22)により連結固定されるように構成して成る折畳み自在コンテナにおいて、
前記第２側壁(3)は、前記側縁部を内向きに断面Ｌ形に延設することにより、底壁の第１側縁に向けて対向する折曲壁部(18)を備えており、
前記第２側壁の折曲壁部(18)は、転倒された折畳み状態では、底壁(1)の第１側縁(4)と第１側壁(2)の枢結部(6)を上方から被うカバー手段(20)を構成し、起立された組立て状態では、第１側壁(2)の側縁部(19)を受止め保持する保持手段(21)を構成して成ることを特徴とする折畳み自在コンテナ。
【請求項２】
前記第２側壁の折曲壁部(18)と、該折曲壁部に受止め保持される第１側壁の側縁部(19)の間に、係脱自在なロック手段(22)を設けており、
前記ロック手段(22)は、第２側壁の折曲壁部(18)に開設された窓孔(25)に設けた係止突起(26)と、前記窓孔(25)に対向するように第１側壁の側縁部(19)に弾性支持片(27)を介して設けた係止爪(28)により構成され、
第１側壁の側縁部を起立することにより第２側壁の折曲壁部に向けて移動したとき、前記係止爪(28)は、弾性支持片(27)の弾性変形を介して係止突起(26)を乗り越え、乗り越え位置で弾性支持片の弾力を介して係止突起(26)に係止するように構成されており、
前記係止爪(28)は、前記窓孔(25)に挿入したユーザの指先で係止突起(26)から離脱させられるように構成されて成ることを特徴とする請求項１に記載の折畳み自在コンテナ。
【考案の詳細な説明】
【技術分野】
【０００１】
本考案は、折畳み自在とされたコンテナに関する。
【背景技術】
【０００２】
従来、物品収納用のコンテナに関して、種々のものが提案されているが、不使用時における保管等を便利とするため、折畳み自在としたコンテナが提供されている。
【０００３】
折畳み自在コンテナは、一般的に、それぞれ相対向する第１側縁と第２側縁を備えた矩形皿状の底壁と、前記第１側縁に起倒自在に枢結された一対の第１側壁と、前記第２側縁に起倒自在に枢結された一対の第２側壁を備えており、折畳み状態では、底壁の上面に向けて相互に向かい合って転倒された一対の第１側壁が重ねられ、該第１側壁の上に向けて相互に向かい合って転倒された一対の第２側壁が重ねられるように構成され、組立て状態では、起立させた第２側壁の側縁部に対して、起立させた第１側壁の側縁部が接合されると共に、ロック手段により連結固定されるように構成されている。
【先行技術文献】
【特許文献】
【０００４】
【特許文献１】特表２０１２−５３２８１３号公報
【特許文献２】特開２００５−３４３５０５号公報
【考案の概要】
【考案が解決しようとする課題】
【０００５】
折畳み自在コンテナは、折畳んだ状態においてコンパクトで外観が美麗であること、折畳み状態から組立てるときは、前記ロック手段の係止ロック作業が容易であること、組立て状態から折畳むときは、前記ロック手段のアンロック作業が容易であることが望ましく、これを実現することが課題となる。
【課題を解決するための手段】
【０００６】
そこで、上記課題を解決するために本考案が手段として構成したところは、それぞれ相対向して起立する第１側縁と第２側縁を備えた矩形皿状の底壁と、前記第１側縁に起倒自在に枢結された一対の第１側壁と、前記第２側縁に起倒自在に枢結された一対の第２側壁を備えており、折畳み状態では、底壁の上面に向けて相互に向かい合って転倒された一対の第１側壁が重ねられ、該第１側壁の上に向けて相互に向かい合って転倒された一対の第２側壁が重ねられるように構成され、組立て状態では、起立させた第２側壁の側縁部に対して、起立させた第１側壁の側縁部が接合されると共に、ロック手段により連結固定されるように構成して成る折畳み自在コンテナにおいて、前記第２側壁は、前記側縁部を断面Ｌ形に延設することにより、底壁の第１側縁に向けて対向する折曲壁部を備えており、前記第２側壁の折曲壁部は、転倒された折畳み状態では、底壁の第１側縁と第１側壁の枢結部を上方から被うカバー手段を構成し、起立された組立て状態では、第１側壁の側縁部を受止め保持する保持手段を構成して成る点にある。
【０００７】
好ましくは、前記第２側壁の折曲壁部と、該折曲壁部に受止め保持される第１側壁の側縁部の間に、係脱自在なロック手段を設けており、前記ロック手段は、第２側壁の折曲壁部に開設された窓孔に設けた係止突起と、前記窓孔に対向するように第１側壁の側縁部に弾性支持片を介して設けた係止爪により構成され、第１側壁の側縁部を起立することにより第２側壁の折曲壁部に向けて移動したとき、前記係止爪は、弾性支持片の弾性変形を介して係止突起を乗り越え、乗り越え位置で弾性支持片の弾力を介して係止突起に係止するように構成されており、前記係止爪は、前記窓孔に挿入したユーザの指先で係止突起から離脱させられるように構成されている。
【考案の効果】
【０００８】
本考案によれば、折畳んだ状態においてコンパクトで外観が美麗とされ、折畳み状態から組立てるときは、ロック手段の係止ロック作業を容易に行うことができ、組立て状態から折畳むときは、ロック手段のアンロック作業を容易に行うことができる折畳み自在コンテナが提供される効果がある。
【図面の簡単な説明】
【０００９】
【図１】本考案の１実施形態に係るコンテナを示し、（Ａ）は組立て状態の斜視図、（Ｂ）は折畳み状態の斜視図である。
【図２】１実施形態に係るコンテナの分解状態を示す斜視図である。
【図３】底壁の第１側縁と第１側壁の相互に設けられた第１枢結手段を示しており、（Ａ）は分解状態を示す斜視図、（Ｂ）は枢結状態を示す斜視図である。
【図４】第１枢結手段の作用を示しており、（Ａ）は枢結前の状態を示す断面図、（Ｂ）は枢結された第１側壁を転倒姿勢とした状態を示す断面図、（Ｃ）は枢結された第１側壁を起立姿勢とした状態を示す断面図である。
【図５】底壁の第２側縁と第２側壁の相互に設けられた第２枢結手段を示しており、（Ａ）は分解状態を示す斜視図、（Ｂ）は枢結状態を示す斜視図である。
【図６】第２枢結手段の作用を示しており、（Ａ）は枢結前の状態を示す断面図、（Ｂ）は枢結された第２側壁を転倒姿勢とした状態を示す断面図、（Ｃ）は枢結された第２側壁を起立姿勢とした状態を示す断面図である。
【図７】ロック手段に関して、第２側壁の折曲壁に向けて、起立した第１側壁の側縁部を移動させるときの状態を示す斜視図である。
【図８】第２側壁の折曲壁部に設けた係止突起及び保持突起と、第１側壁の嵌合壁部に設けた係止爪及び保持凹部の関係を示す斜視図である。
【図９】保持突起と保持凹部の作用を示し、（Ａ）は保持凹部が保持突起に対向させられた状態を示す横断面図、（Ｂ）は保持凹部が保持突起に嵌合させられた状態を示す横断面図である。
【図１０】係止爪と係止突起の作用を示し、（Ａ）は係止爪が係止突起に対向させられた状態を示す横断面図、（Ｂ）は係止爪が係止突起を乗り越えた位置で係止させられた状態を示す横断面図である。
【考案を実施するための形態】
【００１０】
以下図面に基づいて本考案の好ましい実施形態を詳述する。
【００１１】
図１及び図２に示すように、コンテナは、矩形皿状の底壁１と、一対の第１側壁２、２と、一対の第２側壁３、３により構成され、それぞれがプラスチックにより成形されている。
【００１２】
図示実施形態の場合、底壁１は、それぞれ相対向する短辺と長辺を有する長方形の皿状に形成され、短辺に沿って起立する第１側縁４と、長辺に沿って起立する第２側縁５を備えている。第１側縁４及び第２側縁５は、底壁１の皿状周壁を構成するが、第１側縁４の高さＨ４と第２側縁５の高さＨ５をＨ４＜Ｈ５とするように形成されている。
【００１３】
これに対して、第１側壁２は、前記第１側縁４に起倒自在に枢結され、第２側壁３は、前記第２側縁５に起倒自在に枢結される。第１側壁２は、底壁１の短辺に対応する幅寸法と高さＨ２を有し、第２側壁３は、底壁１の長辺に対応する幅寸法と高さＨ３を有しており、Ｈ２＞Ｈ３とするように形成され、Ｈ２＋Ｈ４＝Ｈ３＋Ｈ５となるように構成されている。
【００１４】
従って、図１（Ａ）に示す組立て状態から、図１（Ｂ）に示す折畳み状態とするときは、先ず、第１側壁２、２が起立姿勢から転倒方向に回動され、相互に向い合せられた姿勢として、底壁１の上に重ねられる。そして、次いで、第２側壁３、３が起立姿勢から転倒方向に回動され、相互に向い合せられた姿勢として、前記第１側壁２、２の上に重ねられる。
【００１５】
反対に、図１（Ｂ）に示す折畳み状態から、図１（Ａ）に示す組立て状態とするときは、上から順に、先ず、第２側壁３、３が転倒姿勢から起立方向に回動され、次いで、第１側壁２、２が転倒姿勢から起立方向に回動される。
【００１６】
（第１枢結手段）
底壁１の第１側縁４に対して、第１側壁２は、図３及び図４に示すような第１枢結手段６を介して枢結され、第１枢結手段６は、第１側縁４に設けられた枢軸６Ａと、第１側壁２の下端部に設けられた軸受６Ｂにより構成されている。
【００１７】
枢軸６Ａは、横向き円柱部７の下側に突部８を備えている。これに対し、軸受６Ｂは、前記円柱部７を挿脱自在かつ回転自在に抱持する横向きの軸孔部９を備え、前記円柱部７と突部８を挿入自在とするように前記軸孔部９を枢軸６Ａに向けて拡開状に開放する傾斜開口縁１０、１０を形成しており、該傾斜開口縁１０、１０を狭窄するように前記軸孔部９の円周に沿って対向する挟持リブ１１、１１を設けている。
【００１８】
図４（Ａ）に示すように、第１側壁２を転倒姿勢とすることにより軸受６Ｂの傾斜開口縁１０、１０を下向きとして枢軸６Ａに臨ませ、この状態から図４（Ｂ）に示すように軸受６Ｂを枢軸６Ａに向けて下動し押圧すると、軸受６Ｂの可撓変形を介して軸孔部９が押し広げられ、挟持リブ１１、１１が円柱部７を乗り越え、これにより円柱部７を軸孔部９に嵌入する。このとき、突部８は、挟持リブ１１、１１の間に位置している。
【００１９】
これにより、軸受６Ｂに枢軸６Ａが嵌着されるので、第１枢結手段６は枢結状態とされており、第１側壁２は、第１側縁４から簡単に分離することはない。
【００２０】
そこで、図４（Ｃ）に示すように、第１側壁２を起立姿勢とすると、軸受６Ｂの可撓変形を介して一方の挟持リブ１１が突部８を乗り越えて回動し、軸孔部９が突部８に圧接された状態となる。即ち、軸孔部９は突部８により若干押し広げられており、換言すれば、軸受６Ｂの復元力により軸孔部９が突部８を押圧し、その摩擦力により第１側壁２を起立姿勢とした状態で保持するので、第１側壁２の転倒方向への自由な回動が阻止される。
【００２１】
（第２枢結手段）
底壁１の第２側縁５に対して、第２側壁３は、図５及び図６に示すような第２枢結手段１２を介して枢結され、第１枢結手段１２は、第２側縁５に設けられた枢軸１２Ａと、第２側壁３の下端部に設けられた軸受１２Ｂにより構成されている。
【００２２】
枢軸１２Ａは、横向き円柱部１３の下側に突部１４を備えている。これに対し、軸受１２Ｂは、前記円柱部１３を挿脱自在かつ回転自在に抱持する横向きの軸孔部１５を備え、前記円柱部１３と突部１４を挿入自在とするように前記軸孔部１５を枢軸１２Ａに向けて拡開状に開放する傾斜開口縁１６、１６を形成しており、該傾斜開口縁１６、１６を狭窄するように前記軸孔部１５の円周に沿って対向する挟持リブ１７、１７を設けている。
【００２３】
図６（Ａ）に示すように、第２側壁３を転倒姿勢とすることにより軸受１２Ｂの傾斜開口縁１６、１６を下向きとして枢軸１２Ａに臨ませ、この状態から図６（Ｂ）に示すように軸受１２Ｂを枢軸１２Ａに向けて下動し押圧すると、軸受１２Ｂの可撓変形を介して軸孔部１５が押し広げられ、挟持リブ１７、１７が円柱部１３を乗り越え、これにより円柱部１３を軸孔部１５に嵌入する。このとき、突部１４は、挟持リブ１７、１７の間に位置している。
【００２４】
これにより、軸受１２Ｂに枢軸１２Ａが嵌着されるので、第２枢結手段１２は枢結状態とされており、第２側壁３は、第２側縁５から簡単に分離することはない。
【００２５】
そこで、図６（Ｃ）に示すように、第２側壁３を起立姿勢とすると、軸受１２Ｂの可撓変形を介して一方の挟持リブ１７が突部１４を乗り越えて回動し、軸孔部１５が突部１４に圧接された状態となる。即ち、軸孔部１５は突部１４により若干押し広げられており、換言すれば、軸受１２Ｂの復元力により軸孔部１５が突部１４を押圧し、その摩擦力により第２側壁３を起立姿勢とした状態で保持するので、第２側壁３の転倒方向への自由な回動が阻止される。
【００２６】
（第１側壁と第２側壁の構成）
図１（Ａ）に示すように、コンテナを組立てたとき、先に起立させられた第２側壁３の側縁部に対して、次いで起立させられた第１側壁２の側縁部が接合され、該接合部がロック手段により連結固定される。
【００２７】
図２に示すように、第２側壁３の側縁部には、内向きに断面Ｌ形に延設された折曲壁部１８が形成され、第１側壁２の側縁部には、前記折曲壁部１８を受入れ状に嵌合する嵌合壁部１９が形成されている。嵌合壁部１９は、第１側壁２の厚さを側縁部の部分で外側から図７に符号ｔで示す厚さに相当して薄くするように形成されており、従って、図１（Ａ）に示す組立て状態において、嵌合壁部１９に嵌合された折曲壁部１８の外側表面と、第１側壁２の外側表面が相互にほぼ面一となるように構成されている。
【００２８】
そこで、前記折曲壁部１８は、底壁１の第１側縁４に向けて対向するので、図１（Ｂ）に示すようにコンテナを折畳んだとき、底壁１の第１側縁４と第１側壁２の第１枢結部６を上方から被うカバー手段２０を構成する。
【００２９】
（保持手段とロック手段）
コンテナを折畳み状態から組立て状態とするため、先ず第２側壁３を起立させ、次いで第１側壁２を起立させたとき、第１側壁２の嵌合壁部１９と、第２側壁３の折曲壁部１８の相互間において、折曲壁部１８により嵌合壁部１９を受止め保持させるための保持手段２１と、折曲壁部１８と嵌合壁部１９を係脱自在に係止させるためのロック手段２２が設けられている。
【００３０】
（保持手段）
図７及び図８に示すように、嵌合壁部１９は、折曲壁部１８に対向する保持凹部２３を設け、これに対して、折曲壁部１８は、前記保持凹部２３に向けて突出する保持突起２４を設けており、このような保持凹部２３と保持突起２４により保持手段２１を構成している。
【００３１】
コンテナの組立てに際して、第２側壁３を起立させた状態で第１側壁２を起立させると、図９（Ａ）に示すように、第１側壁２の嵌合壁部１９が第２側壁３の折曲壁部１８に向けて移動した後、図９（Ｂ）に示すように、保持凹部２３に保持突起２４が嵌合させられる。図示の場合、保持突起２４と保持凹部２３の間にクリアランスが形成されているが、大きな隙間を有しないように嵌合されるので、これにより、嵌合壁部１９と折曲壁部１８の相互間における位置決めを良好に行うことができる。
【００３２】
図示実施形態の場合、第１側壁２の外側面から嵌合壁部１９に向かう段差面１９ａに対して、折曲壁部１８の先端縁１８ａが嵌合されるように構成されているので、これにより、嵌合壁部１９の位置決めが更に良好となる。
【００３３】
（ロック手段）
図７及び図８に示すように、折曲壁部１８は、窓孔２５を開設すると共に該窓孔２５に係止突起２６を設け、これに対して、嵌合壁部１９は、前記係止突起２６に対向するように弾性支持片２７を介して支持された係止爪２８を設けており、このような係止突起２６と係止爪２８によりロック手段２２を構成している。
【００３４】
コンテナの組立てに際して、第２側壁３を起立させた状態で第１側壁２を起立させると、図１０（Ａ）に示すように、第１側壁２の嵌合壁部１９が第２側壁３の折曲壁部１８に向けて移動する。
【００３５】
図示実施形態において、係止爪２８は、鎖線で示すように、弾性支持片２７の弾性変形を介して段差面１９ａに向けて偏位可能となるように支持されており、弾性支持片２７の反対側に位置する係止爪２８の側面に形成されたテーパ状の作動面２８ａと、該作動面２８ａの端部に位置する係止面２８ｂを備えている。
【００３６】
これに対して、係止突起２６は、係止爪２８の進入路に張り出すガイド面２６ａと、該ガイド面２６ａの端部に位置する被係止面２６ｂを備えており、該被係止面２６ｂから折曲壁部１８の先端縁１８ａの間に窓孔２５の開口部２５ａを形成している。
【００３７】
そこで、第１側壁２を起立させながら嵌合壁部１９を折曲壁部１８に向けて移動すると、前記作動面２８ａをガイド面２６ａに摺動させることにより、弾性支持片２７の弾性変形を介して係止爪２８が偏位しつつ係止突起２６を乗り越えた後、図１０（Ｂ）に示すように、弾性支持片２７が復元することにより、係止爪２８は、係止面２８ｂを被係止面２６ｂに係止する。
【００３８】
これにより、起立待機する第２側壁３の折曲壁部１８に向けて、第１側壁２を起立させ嵌合壁部１９を折曲壁部１８により受止めさせるだけで、前記ロック手段２２のロックがワンタッチで行われる。
【００３９】
ところで、コンテナを組立て状態から折畳み状態とするために、前記ロック手段２２のロックを解除するときは、図１０（Ｂ）に示すように、係止爪２８が窓孔２５の開口部２５ａに位置しているので、ユーザの指先を窓孔２５に挿入すると共に、指先で係止爪２８を先端縁１８ａに向けて押動させれば、簡単にロックが解除され、第１側壁２を転倒方向に回動することが可能となる。
【符号の説明】
【００４０】
１  底壁
２  第１側壁
３  第２側壁
４  第１側縁
５  第２側縁
６  第１枢結手段
６Ａ  枢軸
６Ｂ  軸受
７  円柱部
８  突部
９  軸孔部
１０  傾斜開口縁
１１  挟持リブ
１２  第２枢結手段
１２Ａ  枢軸
１２Ｂ  軸受
１３  円柱部
１４  突部
１５  軸孔部
１６  傾斜開口縁
１７  挟持リブ
１８  折曲壁部
１８ａ  先端縁
１９  嵌合壁部
１９ａ  段差面
２０  カバー手段
２１  保持手段
２２  ロック手段
２３  保持凹部
２４  保持突起
２５  窓孔
２５ａ  開口部
２６  係止突起
２６ａ  ガイド面
２６ｂ  被係止面
２７  弾性支持片
２８  係止爪
２８ａ  作動面
２８ｂ  係止面
【図１】
0003216990.tif 000003
【図２】
0003216990.tif 000004
【図３】
0003216990.tif 000005
【図４】
0003216990.tif 000006
【図５】
0003216990.tif 000007
【図６】
0003216990.tif 000008
【図７】
0003216990.tif 000009
【図８】
0003216990.tif 000010
【図９】
0003216990.tif 000011
【図１０】
0003216990.tif 000012